(57)【要約】多機能熱警告安全装置（200）は、どのような熱くなる平面及び曲面の双方にも取り外し可能に装着できる。液晶混合物（230）は、指定温度、例えば華氏115度（摂氏46度）にて、またはそれを超える温度で赤または橙色に変わるように設計され、”HOT”（熱い）の文字の外郭線の形に成型され、容器（240）に埋め込まれ、装着素子（220）を通して熱くなる面に装着される。液晶はレンジの加熱素子の上面の中または壁面埋め込み型オーブン及びオーブン・トースターの窓の上に埋め込むことができる。これら液晶は、上記の熱くなる面、レンジの加熱素子、または窓が触れることができないほど熱いことを人に対して警告する。平調理面レンジに使用する場合は、液晶表示装置は、レンジの過熱素子を形成する平らなガラスまたは金属部の上面に埋め込まれる。
2004523719.tif 000002
【特許請求の範囲】
【請求項１】
平調理面レンジの改良された複数の加熱素子であって、各加熱素子は：
下から強力な光源の光を受けるレンジの平らな上面上の平らなガラス部分と、
“HOT”（熱い）の文字の外郭線内の平らなガラス部分の上面または”HOT”（熱い）の文字の外郭線により一部が断絶されている加熱素子を囲むリングの外郭線内に埋め込まれている液晶混合物とを備え、
該光源は、該平らなガラス部分が該光源からの光を吸収すると該平らなガラス部分内で熱を発生し、
該液晶混合物は、該平らなガラス部分の温度が指定温度を超えると赤くなり、その状態を保ち続けるよう設計されており、
各加熱素子内の平らなガラス部分がレンジの平らな上面の一部を形成することを特徴とする。
【請求項２】
液晶混合物が周囲の加熱素子が華氏115度（摂氏46度）を超えると赤くなり、その状態を保ち続けるように設計されていることを特徴とする請求項１に記載の装置。
【請求項３】
直下の電気熱源からの熱を吸収するレンジの平らな上面上の平らなガラス部分と、
“HOT”（熱い）の文字の外郭線内の平らなガラス部分の上面または”HOT”（熱い）の文字の外郭線により一部が断絶されている該加熱素子を囲むリングの外郭線内に埋め込まれ、該平らなガラス部分の温度が指定温度を超えると赤くなってその状態を保ち続ける液晶混合物を備えていることを特徴とする、平らな上面を持つ平調理面レンジの改良された複数の加熱素子であって、
各加熱素子内の平らなガラス部分はレンジの平らな上面の一部を形成することを特徴とする、平らな上面を持つ平調理面レンジの改良された複数の加熱素子。
【請求項４】
液晶混合物が周囲の加熱素子が華氏115度（摂氏46度）を超えると赤くなり、その状態を保ち続けることを特徴とする請求項３の装置。
【請求項５】
“HOT”（熱い）の文字の外郭線内の平らなガラス部分または”HOT”（熱い）の文字の外郭線で一部が断絶されており、該平らなガラス部分の温度が指定温度を超えると赤くなり、その状態を保ち続けるように設計された加熱素子を囲むリングの外郭線内に埋め込まれた液晶混合物を備えており、
各加熱素子内の該平らなガラス部分がレンジの平らな上面の一部を形成していることを特徴とする、平らな上面と複数の加熱素子を持ち、加熱素子は平らなガラスまたは金属部分が該平らなガラスまたは金属部分の下に位置する熱源からの熱を受けるタイプの、平調理面レンジの表面が熱いことを人に対して警告する装置。
【請求項６】
液晶混合物は周囲の加熱素子が華氏115度（摂氏46度）を超えると赤くなり、その状態を保ち続けることを特徴とする請求項５に記載の装置。
【請求項７】
液晶混合物と、
少なくとも液晶混合物を覆う部分が透明で熱伝導性材料でできている液晶混合物を収容するための容器と、
“HOT”（熱い）の文字の外郭線または同外郭線の背景の形に成型され、容器の曲面または凸面に埋め込まれ、熱くなる面が指定温度を超えると赤くなり、その状態を保ち続けるように設計された液晶混合物と、
熱伝導性材料でできた装着素子とを備えており、
該装着素子は、”HOT”（熱い）の文字が見えるように熱くなる面に装着可能であり、装置を他の熱くなる面または同じ熱くなる面の他の部分に装着できるように該面から取り外し可能なことを特徴とする、金属やガラス製の熱くなる面に取りつけられて該面が熱いことを人に対して警告する熱警告安全装置。
【請求項８】
液晶混合物は周囲の加熱素子が華氏115度（摂氏46度）を超えると赤くなり、その状態を保ち続けることを特徴とする請求項７に記載の装置。
【請求項９】
装着素子が磁石または熱伝導性プラスチックであることを特徴とする請求項７に記載の装置。
【請求項１０】
液晶混合物は周囲の加熱素子が華氏115度（摂氏46度）を超えると赤くなってその状態を保ち続け、装着素子が磁石または熱伝導プラスチックであることを特徴とする請求項７に記載の装置。
【請求項１１】
容器が装着素子よりも大きな直径を持っていることを特徴とする請求項７に記載の装置。
【請求項１２】
液晶混合物と、
少なくとも液晶混合物を覆う部分が透明で熱伝導性材料でできていて曲面と平らな裏側端面を持つ液晶混合物を収容するための容器と、
“HOT”（熱い）の文字の外郭線または同外郭線の背景の形に成型され、容器の曲面に埋め込まれ、熱くなる面の温度が指定温度を超えると赤くなり、その状態を保ち続けるように設計された液晶混合物と、
熱伝導性材料でできており、熱くなる面を装着する側面と平らな容器を装着する側面を持つ装着素子とを備えており、
該装着素子は、”HOT”（熱い）の文字が見えるように熱くなる面に対して取り外し及び装着が可能で、
容器の平らな裏側端面が装着素子の平らな容器を装着する側面に装着されていることを特徴とする、金属やガラス製の熱くなる面に取りつけられて該面が熱いことを人に対して警告する熱警告安全装置。
【請求項１３】
液晶混合物は周囲の加熱素子が華氏115度（摂氏46度）を超えると赤くなり、その状態を保ち続けることを特徴とする請求項12に記載の装置。
【請求項１４】
装着素子が磁石または熱伝導性材料であることを特徴とする請求項12に記載の装置。
【請求項１５】
液晶混合物は周囲の加熱素子が華氏115度（摂氏46度）を超えると赤くなってその状態を保ち続け、装着素子が磁石または熱伝導性プラスチックであることを特徴とする請求項12に記載の装置。
【請求項１６】
容器が装着素子よりも大きな直径を持っていることを特徴とする請求項12に記載の装置。
【請求項１７】
液晶混合物と、
液晶混合物を収容し、少なくとも液晶構成部を覆う部分が透明になっており、熱伝導性材料でできていて、平らな裏側の心棒の端面を含み凸面を持つ円筒形の心棒を持つ容器と、“HOT”（熱い）の文字の外郭線または同外郭線の背景の形に成型され、容器の凸面に埋め込まれ、熱くなる面の温度が指定温度を超えると赤くなり、その状態を保ち続けるように設計された液晶混合物と、
熱伝導性材料でできており、熱くなる面を装着する側面と平らな容器を装着する側面とを持つ装着素子とを備えており、
該装着素子は、”HOT”（熱い）の文字が見えるように熱くなる面を装着する側面上の熱くなる面に対して取り外し及び装着が可能な装着素子とを備えており、
裏側の心棒の端面が装着素子の容器装着側面に装着されていることを特徴とする、金属やガラス製の熱くなる面に装着されて該面が熱いことを人に対して警告する熱警告安全装置。
【請求項１８】
液晶混合物は周囲の加熱素子が華氏115度（摂氏46度）を超えると赤くなり、その状態を保ち続けることを特徴とする請求項17に記載の装置。
【請求項１９】
装着素子が磁石または熱伝導プラスチックであることを特徴とする請求項17に記載の装置。
【請求項２０】
液晶混合物は周囲の加熱素子が華氏115度（摂氏46度）を超えると赤くなってその状態を保ち続け、装着素子が磁石または熱伝導プラスチックであることを特徴とする請求項17に記載の装置。
【請求項２１】
容器が装着素子よりも大きな直径を持っていることを特徴とする請求項17に記載の装置。
【請求項２２】
“HOT”（熱い）の文字の外郭線または同外郭線の背景の形に成型された液晶混合物と、
液晶混合物を収容し、少なくとも液晶混合物を覆う表面の部分が透明になっており、透明熱伝導性材料でできた熱伝導材料でできた内側円筒容器と、
熱くなる面の温度が指定温度を超えると赤くなり、その状態を保ち続けるように設計された液晶混合物と、
熱伝導性材料で表面の平らなドーナッツの形に成型されている外側円筒装着素子とを備えており、
外側円筒装着素子の内側壁面が容器に装着可能で、装着素子の側壁面により装置が取り外し可能なように装着できることを特徴とする、ガラスや金属などの熱くなる面に装着されて該面が熱いことを人に対して警告する熱警告安全装置。
【請求項２３】
液晶混合物は周囲の加熱素子が華氏115度（摂氏46度）を超えると赤くなり、その状態を保ち続けることを特徴とする請求項22に記載の装置。
【請求項２４】
装着素子が磁石または熱伝導性プラスチックであることを特徴とする請求項22に記載の装置。
【請求項２５】
液晶混合物は周囲の加熱素子が華氏115度（摂氏46度）を超えると赤くなってその状態を保ち続け、装着素子が磁石または熱伝導性プラスチックであることを特徴とする請求項22に記載の装置。
【請求項２６】
表面が凸形であることを特徴とする請求項22に記載の装置。
【請求項２７】
液晶混合物と、
液晶混合物を収容し、少なくとも液晶混合物を覆う部分が透明になっており、熱伝導性材料でできており、平らな裏側の心棒の端面を内蔵して凸面を持つ短い円筒形の心棒を持つ容器と、
“HOT”（熱い）の文字の外郭または同外郭の背景の形に成型され、容器の凸面に埋め込まれ、熱くなる曲面の温度が指定温度を超えると赤くなり、その状態を保ち続けるように設計された液晶混合物と、
熱伝導性材料ででき、凹形の熱くなる面を装着する側面と平らな容器を装着する側面を持つ装着素子とを備えており、
該装着素子は、”HOT”（熱い）の文字が見えるように熱くなる面を装着する側面上の熱くなる曲面に対して取り外し及び装着可能になっており、
該平らな裏側の心棒の端面が装着素子の平らな容器を装着する側面に装着されていることを特徴とする、金属やガラス製の熱くなる曲面に装着されて曲面が熱いことを人に対して警告する熱警告安全装置。
【請求項２８】
液晶混合物は周囲の加熱素子が華氏115度（摂氏46度）を超えると赤くなり、その状態を保ち続けることを特徴とする請求項27に記載の装置。
【請求項２９】
装着素子が磁石または熱伝導性プラスチックであることを特徴とする請求項27に記載の装置。
【請求項３０】
液晶混合物は周囲の加熱素子が華氏115度（摂氏46度）を超えると赤くなってその状態を保ち続け、装着素子が磁石または熱伝導性プラスチックであることを特徴とする請求項27に記載の装置。
【請求項３１】
液晶混合物と、
液晶混合物を収容し、少なくとも液晶部品を覆う部分が透明になっており、熱伝導性材料でできており、面及び平らな裏側端面を持っている凸形容器と、
“HOT”（熱い）の文字の外郭線または同外郭線の背景の形に成型され、熱くなる面の温度が指定温度を超えると赤くなり、その状態を保ち続けるように設計された液晶混合物と、
熱伝導性材料でできており、凹形の熱くなる面を装着する側面と平らな熱くなる面を装着する側面を持つ装着素子を備えており、
該装着素子は、”HOT”（熱い）の文字が見えるように熱くなる面を装着する側面上の熱くなる面に対して取り外し及び装着が可能であり、
容器の平らな裏側端面は装着素子の平らな容器を装着する側面に装着されていることを特徴とする、金属やガラス製の熱くなる面に装着されて該面が熱いことを人に対して警告する熱警告安全装置。
【請求項３２】
液晶混合物と、
液晶混合物を収容し、少なくとも液晶混合物を覆う部分が透明になっており、熱伝導性材料でできている容器と、
“HOT”（熱い）の文字の外郭線または同外郭線の背景の形に成型され、容器の表面に埋め込まれ、熱くなる面の温度が指定温度を超えると赤くなり、その状態を保ち続けるように設計されてた液晶混合物と、
熱伝導性材料で作られた装着素子とを備えており、
該装着素子は、”HOT”（熱い）の文字が見えるように熱くなる面に装着可能であり、装置を他の熱くなる面または同じ熱くなる面の他の部分に装着できるように取り外しが可能なことを特徴とする、金属やガラス製の熱くなる面に装着されて該面が熱いことを人に対して警告する熱警告安全装置。
【請求項３３】
液晶混合物は周囲の加熱素子が華氏115度（摂氏46度）を超えると赤くなり、その状態を保ち続けることを特徴とする請求項32に記載の装置。
【請求項３４】
装着素子が磁石または熱伝導性プラスチックであることを特徴とする請求項32に記載の装置。
【請求項３５】
液晶混合物は周囲の加熱素子が華氏115度（摂氏46度）を超えると赤くなってその状態を保ち続け、装着素子が磁石または熱伝導性プラスチックであることを特徴とする請求項32に記載の装置。
【請求項３６】
容器が装着素子よりも大きな直径を持つことを特徴とする請求項32に記載の装置。
【発明の詳細な説明】
【技術分野】
【０００１】
発明の属する技術分野
本発明は料理やその他の表面温度の上昇を伴う活動で使用される安全装置に関し、特にレンジその他の器具や装置の表面が触れることができられないほど熱くなっている場合に人に対して警告を与える装置に関する。本発明はまた、何らかの熱くなる表面のための取り外し可能な温度警報装置に関する。
【背景技術】
【０００２】
発明の背景
レンジその他の器具に関しては、電気やガスを使用したもの、上面がガラスや金属製の平らなもの、及びオーブントースターなどが食物の加熱用としてよく知られている。さらに、ホットプレートや保温トレイなどの「移動レンジタイプ器具」も食物の加熱用としてよく知られている。これらレンジ及び「移動レンジタイプ器具」には、調理中にレンジの加熱素子が熱くなり、その後も熱を持ち続けるという安全上の問題がある。調理中に加熱素子に触れることにより起こる安全上の問題は、レンジの目視検査によりある程度予防することが可能である。ガス式、電気式、または平上面レンジの場合、例えば、レンジ上にポットなどの器具が載せてあれば、レンジが調理に使用中であり、熱いという警告になる。ポットなどの器具に警告の役割を期待していない場合でも、人々はお茶を入れるためのやかんを常にレンジの上に置いておく傾向がある。調理が終わった後でもレンジの加熱素子が熱いままだということは一般的に検知することができず、触れることによる火傷の危険は残る。レンジが熱いままだということを、目視その他によって知るてだてはない。
【０００３】
成人がレンジに近寄る時には、安全上の問題に関する経験と知識に基づいた生得的な注意をある程度喚起される。しかしながら、この生得的な注意は、レンジに触れることによって生じる危険を装置によって成人に対して警告する必要性を排除するものではない。さらに、子供、特に幼児の場合は、上記のような注意深さが未発達であり、熱いレンジ、特に調理後のまだ熱が残っているレンジに不注意に触れることによる火傷を予防する装置が長年望まれてきた。
【０００４】
また、近代的なキッチンのサイズの縮小により、近代的アパートの住人が、キッチン内に運び込まれた大きな荷物の置き場所として使用されているレンジに隣接するカウンターの上面の延長としてレンジを利用するようになった。このような大きな荷物の例としては、キッチンに運び込まれた重い食品の袋などがある。このような袋は、直ぐに手近な平面に置く必要があり、カウンターの上面に隣接するレンジの上などに置かれることがある。このようなことは、特に平調理面レンジなど上面が平らになっているレンジの場合に起こり得る。一般的に、近代的なキッチンレンジの上面はますます平らになる傾向があり、平調理面レンジの上面は特にその傾向が強い。これらの要素により、キッチンに運び込まれた食品などの荷物の置き場所としてレンジの上面が使用されることにより生じる成人に対する危険が増加される。
【０００５】
現在使用されている平滑表面レンジは、使用後であっても、まだ熱を帯びている時に上面に触れればやはり危険である。「スムーズトップ」と呼ばれることもあるこれらの平調理面レンジは、レンジ上面（ガスレンジのバーナーと同様の位置）にガラス製の加熱素子分離部を使用している。通常円形になっている各部分の下には、ハロゲン・ランプなどの強力な光源がある。この光源は、スムーズトップの加熱素子の上面、即ちレンジ上面のガラス部分に対して上方に光を照射する。ガラス部分の底は黒く塗られているため、光がガラス部分に届くと、ガラス部分及びガラス面がレンジの各加熱素子からの強力な光から熱を吸収する。これらのガラス面はレンジの加熱素子を形成する。
【０００６】
他の種類の平調理面として、ハロゲン光源に代えて平らなガラス面をその直下にある「リボン素子」と呼ばれるコイル状の電気回路により加熱する「リボン加熱素子」を使用するものがある。熱は直接上方に伝達されるため、加熱素子そのものだけが熱くなり、調理面の他の部分は冷たいままになる。リボン加熱素子には、２本の同心円上の環によって加熱素子が形成されているものもあり、２つの大きさが異なる鍋の加熱に対応する２つのサイズの過熱素子を備えることもできる。この新たな技術は、調理が済んだ後に、成人及び子供に対して加熱素子に触れてはならないことを警告する必要があるという問題を解決するものではない。むしろ、近接する面が確実に冷めているために過熱素子も冷たいと思い込み、安心して加熱素子に触れてしまう危険を発生する。
【０００７】
オーブン・トースターに関しては、持ち運びが可能なために、通常の据え付け型オーブンよりもオーブン・トースターの窓に触れる危険は増大する。オーブン・トースターは、カウンターの上や直接「調理センター」内ではない他のキッチン内の部分に置くことができる。その結果、成人や特に子供または老人はオーブン・トースターがオフになっている時（オンにして使用した直後）にその窓に触れてはならないということを忘れがちである。さらに、閉め忘れたオーブン・トースターの扉はキッチン内の人物にとって危険な突起物となる。
【０００８】
現在、熱い「スムーズトップ」レンジに触れることによる危険を伝える目的で、このようなレンジは一般的にそれぞれが各加熱素子に対応する幾つかの指示灯を備えており、それら全ては調理面の表面上の小さな１つの矩形部分におさまっている。レンジの加熱素子がオフになった後も一定の時間指示灯が光り続けて、「オフ」ではあってもまだ熱いままの加熱素子に人が触れることを防止する。残念なことには、この様々な種類の熱い平調理面レンジに触れることにより生じる危険を伝える試みは、本警告灯が最初から平調理面レンジ用に設計されたものであり、ガスや電熱器用ではないということは別にしても、警告システムとしては不充分である。
【０００９】
一団の警告灯を一瞥しただけでは、成人はもとより、子供や老人に対しても、特定の加熱素子が過熱していることに関しての十分な警告は与えられない。その理由は、個々の加熱素子がどの警告灯に対応しているかを迅速に伝えることができないからである。最短では、数秒間注意して「オン」になっている警告灯を見れば、どの加熱素子が触れることができないほど熱くなっているかを知ることができる。殆どの成人は言うに及ばず、殆どの子供は、直ぐにでもレンジに触れたがっているために、この数秒間を待つことができない。さらに、キッチンに食品を運び込んでカウンター上にそれを置こうとしている成人、またはキッチン内に駆け込んで遊んでいる子供は、さらにこの数秒間の考慮の時間を厭う。従って、これらの子供や成人に対して火傷の危険を適切に警告することはできない。このことを考慮すると、1997年にニューヨークのクーパー・ヒューイット（スミソニアン）における工業デザイン展示会におて、69パーセントを越える成人が制御ノブをレンジ上の相当するバーナー（即ち加熱素子）に対応させられないと発表したことは驚くにあたらない。
【００１０】
壁面埋め込み型オーブン、通常のオーブン、及びオーブン・トースターの窓を含むオーブンの窓の垂直面に対する効果的な警告法も現在は知られていない。これは、オーブンがオフにされ、全てがオフになっているように見えている場合でも、オーブンの窓は非常に熱いままなので、特に重要である。
【００１１】
さらに、器具の表面温度を示す装置としては、液晶混合物を使用した装置が知られているが、これら装置は熱いレンジに触れることにより生じる危険を警告するためにデザインされたものではない。例えば、器具の表面温度を示す機器がパーカー向けアメリカ合衆国特許番号3,827,301に開示されている。第一の部位は、器具表面に接触するか銅線またはヒート・パイプで器具表面に接続されている。第二の部位は、第一の部位から伸びて器具表面からの温度勾配を作る幾つかの液晶素材の束を持つ、周辺環境との熱交換に使用される低熱伝導性部材である。定量的な温度測定法が即警告が必要な場合には不適であるために、パーカー内に開示されているような温度測定法を提供する装置は、子供及にも成人にも、レンジが熱くて触れることができないということを即座に警告するには適切でない。さらに、パーカーの装置や他の液晶混合物は、レンジの一部としての製造には特に向いていない。また、これらの装置はレンジの付属品としては不向きであり、無論、平調理面レンジの付属品としても不向きである。
【発明の開示】
【発明が解決しようとする課題】
【００１２】
本発明は、レンジなどの器具にとどまらず、熱くなっていることを警告する必要のある他の器具の表面にも適用される。表面が熱くなり、電気的または他の方法により装置が停止した後も熱が残る装置は数多い。例えば、ラジエーターの蓋は、車両及びラジエータが停止すると熱くなる。熱い液体の導管としてのパイピングも、熱いことの警告が必要な表面を持つ装置の一例である。他の表面が熱くなる装置の例としては、暖炉の扉、ラジエータの蓋、アイロン、卓上コンロ、コーヒー沸かし、ヒーター・パイプ、家庭用暖房、グルー・ガン、オーブン扉、電気及びオイル及びセラミック・ディスク式ポータブル・ヒーター、石油ランプ、石油ヒーター、電気、ガス、または石炭使用のバーベキュー・グリル、電気中華鍋、電気フライパン、家庭用または商用フライ鍋、セルフサービスのカフェテリア及びサラダ・バー内の保温ランプ、熱を発生及び/または制御する金属箱を備えたサウナ、ミート・ロースター、ガスまたは電気式屋内グリル、ティー・ケトル、薪ストーブ、電気ホット・ローラー、美容トリートメント用ホット・ワックス容器、ボンネットタイプ・ヘアドライヤー、カーリング・アイロン、ポータブル発電機、特にドライクリーニング施設で使用されるスチーム・クリーナー、露出している熱湯パイプ、温水器、炉、保温トレイ、ハロゲン・ランプなどの電灯、ポップコーン・メーカー（特に商用の）、トースター、カプチーノ及びエスプレッソ・メーカー、医療設備内の器具の消毒に使用される加圧滅菌器、映写機、その他がある。これらを含む熱い表面は、子供、保守作業員、及び通常の成人使用者に対して露出されている。
【００１３】
従って、レンジなどの表面が触れることができないほど熱くなっていないかを成人、作業員、及び子供に警告するための多機能な、移動及び取りつけが容易で、装着及び取り外し可能で、効果的、便利、且つ製造の簡単な装置が求められる。調理面や電気及びガス・レンジなどの既にに購入してあるあらゆる既知の種類のレンジに実装でき、同時にレンジ・メーカーによりレンジの一部として製造することのできる装置も求められている。本発明は、これらの需要に応えると同時にそれらを満たしており、その他の利点も提供している。
【００１４】
その他にも、何らかの器具の表面が熱くて触れることができない時に、成人や子供が簡単に読めて理解できる効果的、便利、且つ簡単に使用及び取り外しができる熱警告安全装置に対する需要もある。このような装置はどのような高さの場所にも装着することができ、身長の異なる子供にも合わせられるのが理想的である。
【００１５】
重要なのは、熱い表面にも置くことができるが、その表面における、その個人の、またはある時間内においてその個人の目的を果たした後は取り除くことができ、その後は他の物品の熱い表面、同じ物品の表面、または同じ器具の同じ表面の他の部分に移動することができる熱警告安全装置も更に求められていることである。これが必要なのは、本発明の熱警告安全装置が効果的で、目に付き易く（または、少なくとも識別可能で）、加えて、年齢の異なる子供は身長も異なるために、このような識別可能で効果的な装置を装着することができれば利点となるためである。このような装置は、ある個人が異なる器具を使用、キッチン・カウンターの異なる部分を使用、または他の熱い表面を持つ物品を作動させるために熱警告安全装置の装着場所を変更しようとする場合にも必要になる。「作動させる」という言葉には、熱源が「オン」になってから一定の時間を経て物品が「熱く」なる状況を含んでおり、言うまでもなく、器具やその他の物品が電気的に「オン」になる状況に本発明の装置を限定するものではないことに注意されたい。
【課題を解決するための手段】
【００１６】
発明の要約
本発明では、一定の温度に達すると色を変化させるコレステロール性の液晶または種々の液晶ポリマーなど、一定の温度に達するかそれを超えると色が変化してその状態を保ち、”HOT”（熱い）の文字の外郭線線を形成している液晶混合物（以下、本文中では「液晶混合物」と称する）がレンジの加熱素子の上面などの熱くなる面に装着可能な装置に埋め込まれたりまたは上記熱くなる面の一部として形成されて赤く光るために、レンジやその他の装置が「オフ」であってもレンジの過熱素子がまだ熱くて触れることができないことを、子供を含めて周囲の人に即座に警告することができる。私の前回の特許、アメリカ合衆国特許番号6,104,007内に記述及び請求されている電気レンジの使用に関する第１の実施の形態では、装置は中心部に液晶を内蔵する改良電気コイルである。平調理面レンジ、壁面埋め込み型オーブン、及びオーブン・トースターの使用に関する第２の実施の形態では、平調理面レンジの加熱素子を形成するガラス部分に液晶表示装置が埋め込まれている。平調理面レンジに関するもう一つの第２の実施の形態として、液晶表示装置は加熱素子を取り巻くリングを形成し（加熱素子上にポットが置かれていても見える）、リングの一部が”HOT”（熱い）の文字の外郭線によって断絶されているものもある。同様にアメリカ合衆国特許番号6,104,007内で記述及び請求されているガス・レンジに関する第３の実施の形態では、ガス・レンジのバーナーの中央素子の上部に実装されている凹んだディスク内に液晶が埋め込まれている。各実施の形態において、液晶は、触れることができない程熱い温度、例えば華氏115度（摂氏46度）、を感知している限り赤く光り続ける。壁面埋め込み型オーブン及びオーブン・トースター上での使用に関する第４の実施の形態では、平調理面レンジの加熱素子を形成するガラス部分に液晶が埋め込まれている。
【００１７】
ここに詳細が記載されている1つの実施の形態では、温度警告安全装置は、取り外し可能な装着及び設置を実現する目的で、液晶混合物を内蔵するパイレックス（R)製の50セント硬貨様のディスク及び同50セント硬貨様のディスクの裏側に位置する10セント硬貨様のディスク内の熱伝導素子を兼ねるアタッチメントの２つの部分から成っている。
【００１８】
目的及び効果
本発明の主な目的及び効果は下記の通り：
(a)  レンジ、ホットプレート、オーブン・トースターの窓等の表面、及びその他の表面が触れることができない程熱いことを子供を含む周囲の人々に即座に警告する装置を提供する。
(b)  レンジの表面上の警告として”HOT”（熱い）の文字を誰にでも見えるように即座に表示する装置を提供する。
(c)  何が触れることができない程熱いかを明確に示すためにレンジの表面の加熱素子上に直接表示される”HOT”（熱い）の文字を使用して人に即座に警告表示を行う装置を提供する。
(d)  ガラスや金属を含むあらゆる種類の表面を持ち、電気加熱、導電、及びハロゲン・ランプ加熱を含むあらゆる種類の技術を使用し、電気レンジ、ガス・レンジ、壁面埋め込み型オーブン、ホットプレート、または保温トレイなどに使用可能な平調理面レンジに使用できる多機能の熱警報装置を提供する。
(e)  ガラスや金属を含むあらゆる種類の表面を持ち、電気加熱、導電、及びハロゲン・ランプ加熱を含むあらゆる種類の加熱技術を使用し、レンジ表面の加熱素子を囲むリング及び同リングの一部を断絶している”HOT”（熱い）の文字が加熱素子が一定の温度に達すると赤くなることを利用して周囲の人々に対して即座にレンジの表面上に警告を表示する装置を提供する。
(f)  製造が簡単でレンジ（またはその他の器具）の加熱素子上に装着できレンジの一部として製造できる熱警報装置を提供する。
(g)  特定の温度、例えば華氏115度（摂氏46度）に達すると”HOT”（熱い）の文字の信号を発生するように校正でき、または調理面レンジの場合は加熱素子の周囲のリングを点灯できて、器具表面がその温度を上回っている間は信号モードを保持するレンジ用の熱警告装置を提供する。
(h)  コレステロール性の液晶や、特定の温度に達すると色を変化させるようになっている種々の液晶ポリマーなど、特定の温度に達すると色を変化させる液晶を使用する上記の熱警報装置を提供する。
(i)  様々な種類の表面が熱くなる器具に極めて簡単に取り外し可能に装着できる熱警告装置を提供する。
(j)  子供にも読むことができ、その子供の身長が伸びたときに位置を調整することができる熱警告装置を提供する。
(k)  パイプなどの人目につかない場所の表面において簡単に読めるように角度を変えられる熱警報装置を提供する。
(l)  熱くなる金属、ガラス、その他の適当な面に装置を取り外し可能に装着できる磁石または導電性のプラスチックを含み、熱い表面から伝達される熱を受け取り、一定の温度に達すると色を変化させる液晶にその熱を伝えることができる熱警報装置を提供する。
(m)  暖炉の扉、ラジエータの蓋、アイロン、卓上コンロ、コーヒー沸かし、ヒーター・パイプ、家庭用暖房、グルー・ガン、オーブン扉、電気、オイル、及びセラミック・ディスク式ポータブル・ヒーター、石油ランプ、石油ヒーター、電気、ガス、または石炭使用のバーベキュー・グリル、電気中華鍋、電気フライパン、家庭用または商用フライ鍋、セルフサービスのカフェテリア及びサラダ・バー内の保温ランプ、熱を発生及び/または制御する金属箱を備えたサウナ、ミート・ロースター、ガスまたは電気式屋内グリル、ティー・ケトル、薪ストーブ、電気ホット・ローラー、美容トリートメント用ホット・ワックス容器、ボンネットタイプ・ヘアドライヤー、カーリング・アイロン、ポータブル発電機、特にドライクリーニング施設で使用されるスチーム・クリーナー、露出している熱湯パイプ、温水器、炉、保温トレイ、ハロゲン・ランプなどの電灯、ポップコーン・メーカー（特に商用の）、トースター、カプチーノ及びエスプレッソ・メーカー、医療設備内の器具の消毒に使用される加圧滅菌器、映写機、などの熱くなる面に対して簡単に装着及び取り外し可能な熱警報装置を提供する。
【発明を実施するための最良の形態】
【００１９】
図面の詳細な説明
私の前回の特許であるアメリカ合衆国特許番号6,104,007に記述及び請求されている本発明の実施の形態の一つは、図1から3に示されているガス加熱を利用するレンジに関するものである。この実施の形態では、レンジ100の上部の中央に開かれた金属の火格子９に覆われたバーナーと呼ばれる加熱素子７が通常４つある。加熱素子の各バーナーは、凹部８内に位置し、金属の火格子に囲まれている。図2で明らかなように、中央金属素子10があり、同素子の側面10a上の連続したガス導入孔よりガスが流出し着火される。図1から3に見られるように、中央金属素子10は、その上面12a上にディスク12を持っており、このディスク12が、一定の温度に達すると色が変化する”HOT”（熱い）の文字の形の液晶14を内蔵している。あるいは、中央金属素子10そのものに既知の手法によりその上面に”HOT”（熱い）の文字の形の液晶14を内蔵することもできる。
【００２０】
調理中にポットや鍋を置く格子の温度は、中央金属素子10の温度にほぼ等しい。従って、”HOT”（熱い）の文字が赤くなると、格子及び中央金属素子の双方が触れることができない程熱くなっている。しかしながら、格子の温度と中央金属素子10の温度の間には違いが出てくる。中央金属素子10が触れても大丈夫なまで冷却された時の温度と金属格子が同じく冷却された時の温度間の差を考慮に入れて、格子または中央金属素子10のいずれかが触れることができない程熱い時に液晶14が赤い状態を保ち続けるように温度間の差を予測して転換温度を低下させることにより、液晶混合物14（コレステロール性液晶または一定の温度で赤くなるようになっている種々の液晶ポリマー）が赤くなる温度を低くする処置も選択できる。
【００２１】
図5から7に私の前回の特許である電気レンジの上面に関するアメリカ合衆国特許番号6,104,007に記述及び請求されている実施の形態を図示する。電気レンジは、蛇のとぐろ状に巻かれ、受け金具21上に設置されている電気コイル20により形成されているレンジ上面の上に通常４つの加熱素子を持っている。電気コイル20は、通常各コイル20の中央に受け金具21に接続及び支持されている凹んだ形のディスク22を持っている。上面22aに埋め込まれた”HOT”（熱い）の文字の形の液晶混合物24（コレステロール性液晶または一定の温度で色を変化させるようになっている種々の液晶ポリマー）を内蔵する中央ディスク22を持つ本発明の電気コイル20の平面図を図5に、拡大部分平面図を図6に示す。中央ディスク22の温度が華氏115度（摂氏46度）を上回ると液晶24が赤くなり、再度温度が低下しない限り、または低下するまでは赤く保たれる。この電気コイル20は、技術的に良く知られた手法を用いて中央ディスク22の上面22a上に液晶24を埋め込むことによっても作成できる。または、上面に液晶24を埋め込んだディスクを嵌め込むことによって既存の電気コイルを改造することも可能である。
【００２２】
電気コイル上に置かれた鍋やポットが中央ディスク22をこすらないように、上面22aに埋め込んだ”HOT”（熱い）の文字の形の液晶24を内蔵する中央ディスク22は、電気コイル20の表面から４分の１インチ（6.35mm）ほど凹んでいる。
【００２３】
電気コイル20の温度と中央ディスク22の温度間に差があるために、液晶24が赤くなる転換温度を(i)電気コイル20の温度及び(ii)中央ディスク22の温度より低く設定する処理も選択できる。この場合、中央素子22または実際のコイル20のいずれかに触れないように警告することができる。
【００２４】
図8から10に「スムーズトップ」または「クックトップ」と呼ばれることもある平調理面レンジの使用に関する本発明の実施の形態を図示する。調理面レンジに関する従来の技術を図4に示す。図8から10に示すように、平調理面レンジは、基本的に上面が平らで底が十分に光を吸収できるように黒くなっているガラス面30の部分より成る加熱素子を持っている。上記の光の吸収により平らなガラス部分30で熱が発生する。通常円形になっている各部分30の下側は、ハロゲン・ランプなどの強力な光源36になっている。図10に見られるように、光源36は、スムーズトップの加熱素子、即ちレンジ上面の上のガラス部分30に向けて上方に光を照射する。各ガラス部分はその低部が黒く塗られているために、光が当たると、強力な光源からの熱が平らなガラス部分30の黒い部分に吸収される。これらのガラス面30がレンジの加熱素子を形成している。調理器具をガラス面上の加熱素子の部（四角形、円形などがある）上に置くだけで調理が可能になる。平調理面レンジにはハロゲン光源36の代りに「輻射」熱源を利用しているものもあるが、効果は同じである。なお、平調理面レンジにはハロゲン・ランプを持つ（前述のように各部分30の下に）ものもあるが、それらは光と熱を出す赤外線波を発生する。
【００２５】
いずれかのタイプの調理面レンジの平滑面に使用されている本発明の熱警告装置は、既知の手法を使用して平調理面レンジ上の加熱素子である各ガラス部分30内に埋め込まれた液晶混合物32を持つ。液晶混合物32は、例えば各ガラス部分30を型紙などの抜き型で覆ってからガラス部分30の上から液晶32の成分を吹き付けることにより正確に”HOT”（熱い）の形に作成することができる。前述のように、液晶混合物は、平らなガラス部分が指定温度、例えば華氏115度（摂氏46度）を超えると赤くなり、その状態を保つように設計されている。
【００２６】
もう一つの第２の実施の形態としては、電気加熱、導電、及びハロゲン・ランプ加熱などの技術を使用した平調理面レンジの場合、液晶表示装置は加熱素子を囲むリングの形をしており（加熱素子上にポットが置かれていても見える）、図9A及び図10Aに見られるようにリングの一部が”HOT”（熱い）の文字の外郭線によって断絶されているものもある。これにより、人々はポットややかんをレンジ上に置き放しにする傾向があり、その結果過熱素子が完全に見えなくなってしまう（ポットややかんが加熱素子と同様かそれ以上の大きさを持っているため）という問題が明らかにされ、且つ解決されている。上記のような場合、どれほと警戒や用心をしていても、加熱素子（及びその上に置かれたやかんやポット）が触れることができない程熱くなっていることを簡単に確かめることはできない。本発明のリング（”HOT”（熱い）の文字が断絶点にあるなしにかかわらず）が赤く点灯しているのを見れば、加熱素子の部が触れることができない程熱くなっているのを直ちに知ることができる。本実施の形態では、加熱素子を囲む位置、即ちレンジ表面31上のガラスまたは金属部分30の平らな上面内のリング（及び”HOT”（熱い）の文字）の外郭線内のレンジの表面上に液晶混合物32が埋め込まれている。
【００２７】
図8から10（図9A及び10Aを含む）は、平らなガラス面でできた加熱素子を持つスムーズトップの点から描かれているが、他にも多くの平上面レンジ、特に弾性調理面と呼ばれる平らな金属上面を持つレンジもある。その違いは、熱を発生するための光源36をレンジ表面の下側で使用しておらず、代りに図示していない電気などを用いた熱源に接続された金属が熱くなるようになってることである。さらに、平調理面の中には、ハロゲン光源の代りに「リボン加熱素子」を使い、ガラスの直接及び直下に設けたハロゲン光源に代わる「リボン素子」と呼ばれるコイル状の電気回路により平らなガラス面を加熱しているものもある。本発明の装置は、金属調理面、ガラス調理面、及び熱源としてハロゲン光源を使用するもの、及びリボン加熱素子を使用するものなどにも同様な効果を発揮する。ガラス調理面に使用する本発明を図示している図8及び9は同時に平らな金属調理面を持つレンジ及びリボン加熱素子に適用する本発明も図示している。図10には、ハロゲン光源を使用するガラス調理面に使用する本発明を示しているが、図10の上部にはスムーズトップ用の液晶混合物の断面図も図示している。金属調理面及びリボン加熱素子を使用するガラス調理面は、ハロゲン光源36が実装されていないことを除いては全て同じである。全ての平調理面も、レンジ上の平らな金属部30の上面に”HOT”（熱い）の文字の形で埋め込まれている液晶混合物32を持つ。
【００２８】
この他にも数種の平調理面があり、これらの表面にも”HOT”（熱い）の文字の形の液晶混合物を埋め込むことができる。例えば、平調理面の中には平らな上面を持っていたり、上方に突出して中央部がへこんだ金属製の固い素子を持つものもある。前述のように、このへこんだ中央部には液晶混合物を”HOT”（熱い）の文字の形に埋め込むことができる。
【００２９】
図11から13に、窓の表面40に本発明の液晶混合物46が”HOT”（熱い）の文字の形に埋め込まれている壁面埋め込み型オーブンを図示する。前述のように、液晶混合物46は、平らなガラス部分が指定温度、例えば華氏115度（摂氏46度）を超えると赤くなり、その状態を保つ。その目的は、子供や成人に対して、オーブンの使用中は窓40が非常に熱くなっていることを警告することにある。オーブンの窓の垂直面に対して使用できる効果的な警告法は従来はなかった。オーブンがオフになり、全がオフになっている如く見えても窓40は熱くなり続けているために、この警告法は特に重要である。
【００３０】
オーブン・トースターも、”HOT”（熱い）の文字の形をした本発明の液晶混合物46が埋め込まれた窓の表面40を持っている。前述のように、液晶混合物46は、平らなガラス部分が指定温度、例えば華氏115度（摂氏46度）を超えると赤くなり、その状態を保つ。
【００３１】
ホットプレートは１つの加熱素子を持つ小さな可動電気レンジと考えることができる。保温プレートは、加熱素子として１つの平らな表面を持つ小さな可動電気平調理面レンジと考えることができる。これらホットプレート及び保温トレイ双方のケースにおいて、本発明は加熱素子に適用され、他の類似した器具であるより大きく長期に渡って使用される電気レンジ及び調理面レンジに関する記述と同様に機能する。
【００３２】
一般的に本発明は、指定温度に達するかそれを超えた場合に色を変え、その状態を保ち続けるものであれば、如何なる液晶混合物も使用することができ、コレステロール性液晶がより効果的ではあるが、必ずしもコレステロール性である必要はないことに注意されたい。必ずしも理想的な種類の液晶混合物ではないが、指定の温度または温度範囲に達したら色を変え、より高い閾値温度では第3の色になる液晶混合物の使用も、同第3の色が第1の色と明らかに違う限りにおいて、本発明の適用範囲内である。理想的な液晶混合物は、指定温度で赤になり、それ以上の温度でその状態を保ち続けるものである。
【００３３】
本発明を使用すると、個々人が調理面レンジのあるキッチンに入った場合、彼または彼女は、いずれかの加熱素子が過熱していることを即座に認識することができる。これは、人がどの加熱素子がどの表示灯に対応しているかを先ず確かめなければならない従来の技術と対照を成す。
【００３４】
最良の警告は最もシンプルな”HOT”（熱い）の文字の活字の簡単な配置により提供されると信じられるが、本発明は、”HOT”（熱い）以外の文字または文字形も警告として使用可能なことを意図している。さらに、”HOT”（熱い）の文字の外郭線内の液晶混合物を水平な表面だけでなく、垂直で床と直角な表面を持つレンジ、オーブン・トースター、その他の器具の表面に埋め込むことも本発明の意図するところである。なお、図は一定の構成と深さでレンジの表面に埋め込まれている液晶を図示しているが、本発明が意図しているのは、液晶の深さ及び構成が変化しても本発明の適用範囲にあることである。
【００３５】
“HOT”（熱い）の文字の形の液晶混合物を含むガラス製ディスクは、調理面レンジ、壁面埋め込み型オーブン、またはオーブン・トースターに装着するための液晶混合物を埋め込んだガラス製ディスクとして消費者が個別に購入できるようにすることも本発明の意図するところである。
【００３６】
全ての実施の形態に関し、”HOT”（熱い）の文字の外郭線内の液晶混合物に加えて、液晶混合物がこのような外郭線の背景としても使用できることも本発明が意図するところである。このことが意味するのは、液晶混合物が”HOT”（熱い）の文字の外郭線を除く全体の部分を形成することもできるということである。本発明の１つの特色は、”HOT”（熱い）の文字を形成する液晶混合物そのものの働きにより赤と他の色との間のコントラストを作り出す目的で液晶混合物を使用、または”HOT”（熱い）の文字を囲む、つまり同文字以外を構成する液晶混合物の働きにより”HOT”（熱い）の文字を示していることである。なお、本特許申請においては、「赤」の語は考え得る全ての赤い色の類似色及び濃淡であり、同様に考え得る全ての橙色の類似色を示していることに注意されたい。赤及び橙色は熱を表す色である。なお、熱くなった面（液晶混合物の部の向かい側）そのものが赤い色になっている、または赤く変化した場合、液晶混合物230は橙色になり、またその逆もある。
【００３７】
図15から20に、本発明の多機能熱警告安全装置200のもう一つの形を図示する。本発明の多機能熱警告安全装置は、熱くなる面に装着し、その後取り外しができ、別の熱くなる面または同じ熱くなる面の別の部分に再度装着可能な装置に対する需要を含み、概要が示されている多くの需要を満たすように設計されている。
【００３８】
熱くなる面は通常金属やガラスでできているが、他の適当な材料でも作成可能である。図15から20に示す各形状では、装置は基本的に互いに隣接する付属部品及び液晶を内蔵する容器部品から成る。これらの部品は、（アメリカの通貨である）50セント硬貨の裏面に10セント硬貨を接着したように装着されている。図15から20に図示されている実施の形態の場合は、本発明の装置全体が参照番号「200」として指定されていることに注意されたい。
【００３９】
図15A及び15Bに見られるように、装置200の最初の部分は円形または四角形の薄いディスクである装着素子220である。図示しないガラス面に装着された装着素子220は、熱を伝える。装着素子220は、磁石または導電性プラスチックである。このような導電性プラスチックの持つ接着力は、装置200を熱くなる面に接着するに十分強力だが、同時に装置200を取り外すに十分に弱く、そのため装置200は、取り外し可能なように熱くなる面に装着することができる。または、熱伝導性プラスチックは、熱くなる金属、ガラス、その他の面に接触する裏面に何らかの種類の弱い接着力を持つプラスチックの層を持つことができる。電気を通し、熱を伝えるポリマーでできたプラスチックが有機化学者によって知られている。装着素子220により装置200を如何なる熱くなる面にも取り外し可能なように垂直に装着することができる。
【００４０】
装置200の第2の部分は、液晶混合物230そのもの及び同液晶を収容する容器240より成る。容器240の曲面242は理想的には凸型なのだが、容器240が過度な高さを持っていると”HOT”（熱い）の文字が見える角度の範囲を制限してしまうため、通常半球形を形成するほどの曲面にはしない。
【００４１】
または、より理想的でない形としては、図20に示すように、容器240aの直面242aを使用することもできる。容器240もやや円盤形になっており、平らな裏端面247（半球の平らな側に似ている）が装着素子230の平らな容器装着側面230bに装着されている。必要ではないが、容器240は、曲面242上の”HOT”（熱い）の文字が十分に見易いことを反映する必要があるために、通常装着素子220よりも大きな直径を持っている必要があり、一方装着素子220の直径は、装置200を熱くなる面に確実に装着できる大きさがあればいい。本発明では、例えば図15A及び15Bに示す容器240及び図16A、16B、18A、18B、19、20A、及び20Bに図示する容器のような容器は、これらの図に示す装着素子（例えば図15Aに示す装着素子220）と同じ直径を持つように明らかに意図されている。
【００４２】
容器240は、「パイレックス（R)」の名で販売されている種々の熱伝導性ガラス製品や透明にすることが可能な熱伝導性プラスチックのような透明にすることが可能な熱伝導性物質で作られている。容器240の曲面242は、少なくとも液晶混合物230を覆う曲面242の部分において透明になっている。これにより、熱伝導性素子220が装着されている面が指定温度、例えば華氏115度（摂氏46度）を超えると曲面242が”HOT”（熱い）の文字を表示する。
【００４３】
装置200の装着素子220は、エポキシ樹脂を用いたり、熱装着素子220が磁石である場合は溶接するなど様々な方法で容器240の平らな裏側端面249に装着されている平らな容器装着側面220bを持つ。無論、エポキシ樹脂は装置200の２つの部品間の熱伝導を妨げるほど大量に塗布してはならない。
【００４４】
図16A及び16Bに見られるように、装置200のもう一つの形には、心棒345及び凸面346で形成されるきのこ型容器340と呼ばれるものもある。通常は心棒345は、その必要はないのだが、凸面346よりも小さな直径を持っている。その理由は、凸面346は見えなければならないが、一方、心棒345は装着素子320により装置200の熱くなる金属またはガラス面への装着を確実にするだけの太さがあればいいために、容器が「きのこ型」と呼ばれているものである。容器340の凸面346は液晶混合物230を収容しており、少なくとも面346の液晶混合物230を覆っている部分において透明である。または、より理想的ではないが、図20Bに示すように容器340bの直面346bも使用可能である。
【００４５】
図16A及び16Bに示す容器340は熱伝導素材で作られており、図15A及び15Bにその形を示す。図15A及び15Bと違い、図16A及び16Bに示す容器340は、裏側の心棒の端面345aを含み、通常半球形を形成するほどではない曲面で構成される凸面346を持つ短い円筒状の心棒345を持つ。液晶混合物230は”HOT”（熱い）の文字の外郭線線または同外郭線線の背景を形成している。液晶混合物230は容器340の凸面346内に埋め込まれており、熱くなる面が指定温度を超えると赤くなり、その状態を保つ。
【００４６】
図16A及び16Bに示す装置200は、図15の装置200と同様に、熱伝導性材料でできており、熱くなる面への装着側面320a及び容器装着側面320bを持つ装着素子320を含む。装着素子320は、熱くなる面への装着側面320a上の金属またはガラス面へ取り外し可能に装着できる。容器340上の裏側の心棒の端面345aは平らになっており、装着素子320の容器装着側面320bの平らな端面に装着される。
【００４７】
図15A及び15Bに示すように、図16A及び16Bにおいて、装置200は、固い熱伝導性プラスチックまたは「パイレックス（R)」の名で販売されている種々の透明な熱伝導性ガラス製の容器340を持つ。同様に、熱伝導性素子320が装着されている面が指定温度、例えば華氏115度（摂氏46度）になると、凸面346が”HOT”（熱い）の文字を表示する。容器340の裏側の心棒の端面345aは、熱伝導性金属でできており、熱くなる金属またはガラス面に取り外し可能に装着できる磁石320に装着するか、または取り外しが容易なように十分に弱い粘着力を持ち、同時に相当の重量を持つ物体を平らな金属またはガラス（または他の適当な）面に接着するに十分な強い粘着力を持つ熱伝導性のプラスチックに装着する。熱伝導性プラスチックの一例としては、ポリアセチレンがある。ミネソタ州の有名な会社3Mは、相当の重量を持つ物体の面への一時的装着に使用される接着剤を製造・販売している。
【００４８】
図17に装置200の他の形を示す。本実施の形態では、液晶混合物230を収容するためのドーナツ形の内側円筒容器290がある。内側円筒容器290の面292は、理想的には、”HOT”（熱い）の文字がよく見えるように凸形であり（より理想的でない形ではあるが、凸形ではなく平らな面292がある）、少なくとも液晶混合物230を覆う面292の一部が透明になっている。
【００４９】
内側円筒容器290は、透明にすることができる熱伝導性材料でできている。図15A、15B、16A、16Bに示すように、図17では、液晶混合物230は熱くなる面が指定温度を超えると赤くなり、その状態を保ち続ける。図17に示すこの形では、熱伝導性材料でできていて、熱くなる金属またはガラス面に装着するために図示しない平らな裏側壁面を持つドーナッツ形の外側円筒装着素子280がある。外側円筒装着素子280の内側壁面289は内側円筒容器290に装着可能であり、装着素子280の図示しない平らな裏側壁面により熱くなる面に装置200を取り外し可能に装着できる。内側円筒容器290もその内側円筒容器の図示しない裏側壁面が平らになっており、内側円筒容器290の図示しない裏側壁面は、通常熱くなる面への装置200の円滑な装着を妨げないように装着素子280の図示しない平らな裏側壁面と面一になっている。
【００５０】
図15から20に示す装置200の各実施の形態は、熱源がオフになった後も熱を帯びている可能性のある面に対して装着及び取り外しが簡単な多機能熱警告安全装置である。このような面には金属やガラスも含まれ、電気レンジ、ガス・レンジ、平上面レンジ、オーブン、オーブン・トースター、及び金属ポットなどの熱を発生する器具の金属またはガラス製の壁面を含むこともある。装置200が装着される熱くなる面は、金属やガラスに限定する必要はなく、磁石や粘着材を受け付けるものであればその他の面でも構わない。
【００５１】
器具の２つ以上の側面が熱くなることもあり、本発明の熱警告安全装置が同器具の一つの側面用に作られていても、他の側面に同じ熱警告安全装置を装着するのは適切ではない。例えば、電気レンジの上部に装着される本発明の熱警告安全装置は、レンジの側面への装着には不適である。図15A、15B、16A、16B、17、19、及び20に図示する装置200は如何なる熱くなる面にも適用できるため、上記のような器具のどの壁面にでも適用可能である。このような適用は、特に複数のオーブンや調理カウンターに囲まれている調理人にとっては特に有用であり、装置200を各熱い面に置くことができる。
【００５２】
食物関係の器具を除いて装置200の便利な適用を受ける他の熱くなる面には、自動車などの車両のボンネット下に位置するラジエーターの蓋、熱い蒸気が流れるパイピング、カーリング・アイロンの表面、蒸気プレス機の表面、及び「目的及び効果」内で列挙された他の多くのものがある。
【００５３】
図18Aに、熱くなることがあるパイピングなどの丸みを帯びた金属やガラス製の熱くなる面に取り外し可能に装着できるように特に設計された装置200を示す。本実施の形態では、熱警告安全装置200は、図18の装置200に示す装着素子420の形を除いては、図16に示す装置200（または図15に示す装置200）と同様である。図18に示す装置200は、パイプなどの丸みを帯びた面に装着する必要があるために、液晶混合物230を収容するための容器440は、平らな裏側の心棒の端面445a及び容器440を含む短い円筒形の心棒445は凸面446を持っている。装着素子420は、凹形の熱くなる面への装着側面420a及び平らな容器装着側面420を持っており、装着素子420は、”HOT”（熱い）の文字が見えるように、熱くなる面への装着側面420a上の曲面で形成される熱くなる面に対して取り外し及び装着可能になっている。平らな裏側の心棒の端面445aは装着素子420の容器装着側面420bに装着される。または、より理想的ではないが、図18Bに示すように、裏側の心棒の端面445a及び対応する曲面を持つ装着素子420の容器装着側面420bにも凹みを持たせることができる（同様の曲率で）。
【００５４】
本発明の多機能性を補強する他の特徴は、小さな子供の身長に適した高さに装置200を装着することができ、その子供が年齢を重ねて身長が伸びた後で別の高さに装着し直せることである。異なる年齢と身長の子供がいる家庭の壁面には、通常異なる本発明の熱警告安全装置を幾つも装着する余裕がない。図15及び16に図示する装置200では、図15の曲面242及び図16の凸面346は、その上の”HOT”（熱い）の文字が観察者の身長（及び見る角度）によって様々な角度から読めるように、凸面か曲面になっている。
【００５５】
本発明の装置200を様々な角度から読む他の方法は、装置200の１つの実施の形態によれば、装着角度が観察者に合わせて調整可能になっていることである。観察者、特に子供が”HOT”（熱い）の文字を読むことのできる可能性を最大限まで高めるために、装置200は見た目の装着角度を様々に変えることができる。この特徴は、特に装置200が見にくくアクセスの難しい面に取りつけられている場合に価値がある。装置が効果を発揮している時に子供が”HOT”（熱い）の文字を実際に読めることは重要なポイントである。
【００５６】
図19に示す実施の形態では、子供が凸面522上に表示されている”HOT”（熱い）の文字を読むことにより極めて簡単に熱い面に対する注意を促されるように、装置200は傾斜させて調整できるように装着することができる。
【００５７】
心棒545が容器540の凸面522に接触する端面において、図示しないよく知られた回転装着法により、多数の個別の部位を通るときの抵抗を伴って凸面522を回転させることができる。凸面522は、回転により心棒545と摩擦嵌合させるか棒545上のねじ山上を回転させるか、または他のよく知られた回転装着法により回転させることができる。このような回転の結果、熱くなる面599に対する凸面522の角度を、目標とする観察者の身長に合わせて調整することができる。ここまで図16Aに示す形状の装置を例にとって図19を説明してきたが、図19の実施の形態は、図15に示すような形を含む他の形の装置200にも適応可能である。
【００５８】
これまで本発明の機器を詳細に記述及び図示したが、上記の実施の形態は本発明の一般的な原理を説明しているに過ぎないことを理解されたい。また、他の様々な改造及び変更が、本発明の原理を本発明の精神及び適用範囲内において具現化する業者によって考案されていることも理解されたい。本発明をここに示され、及び記述されている構造及び動作に限定することは望むところではない。本発明の精神及び適用範囲は、下記請求項の精神及び適用範囲のみにより限定される。
【図面の簡単な説明】
【００５９】
【図１】図1は、各バーナーに本発明の装置を実装したガスレンジの平面図である。
【図２】図2は、本発明の装置を実装したガスレンジの加熱素子の拡大部分平面図である。
【図３】図3は、図2の3-3線に沿った拡大部分断面図である。
【図４】図4は、警告灯を点灯している従来技術による平調理面レンジである。
【図５】図5は、電気レンジ上で使用されている本発明の装置の平面図である。
【図６】図6は、本発明の装置を実装した電気レンジの１つの加熱素子の拡大部分平面図である。
【図７】図7は、図6の7-7線に沿った拡大部分断面図である。
【図８】図8は、調理面レンジの平らな上面に実装された本発明の装置の平面図である。
【図９】図9は、本発明の装置が実装された平調理面レンジの１つの加熱素子の拡大部分平面図である。
【図９Ａ】図9Aは、加熱素子を囲むリングの形の本発明の装置が実装された平調理面レンジの１つの加熱素子の拡大部分平面図である。
【図１０】図10は、図9の10-10線に沿った拡大部分断面図である。
【図１０Ａ】図10Aは、図９Aの10A-10A線に沿った拡大部分断面図である。
【図１１】図11は、本発明の装置を実装した壁面埋め込み型レンジの正面立面図である。
【図１２】図12は、本発明の装置を実装した平調理面レンジの１つの加熱素子の拡大正面立面図である。
【図１３】図13は、図12の13-13線に沿った拡大部分断面図である。
【図１４】図14は、本発明の装置を実装した壁面埋め込み型オーブンの正面立面図である。
【図１５Ａ】図15Aは、本発明の装置のもう一つの実施の形態の側面図である。
【図１５Ｂ】図15Bは、本発明の装置のもう一つの実施の形態の正面図である。
【図１６Ａ】図16Aは、本発明の装置のもう一つの実施の形態の側面図である。
【図１６Ｂ】図16Bは、本発明の装置のもう一つの実施の形態の正面図である。
【図１７】図17は、本発明の装置のもう一つの実施の形態の正面図である。
【図１８Ａ】図18Aは、熱くなる曲面に装着する本発明の装置のもう一つの実施の形態の側面図である。
【図１８Ｂ】図18Bは、熱くなる曲面に装着する本発明の装置の追加的なもう一つの実施の形態の側面図である。
【図１９】図19は、異なる角度で据え付けが可能な図16Aに示す本発明の装置のもう一つの実施の形態である。
【図２０Ａ】図20Aは、直面を含む図15Aに示す装置のもう一つの実施の形態である。
【図２０Ｂ】図20Bは、直面を含む図16Aに示す装置のもう一つの実施の形態である。
【図１９】
2004523719.tif 000003
【国際公開パンフレット】
2004523719.tif 000004
2004523719.tif 000005
2004523719.tif 000006
2004523719.tif 000007
2004523719.tif 000008
2004523719.tif 000009
2004523719.tif 000010
2004523719.tif 000011
2004523719.tif 000012
2004523719.tif 000013
2004523719.tif 000014
2004523719.tif 000015
2004523719.tif 000016
2004523719.tif 000017
2004523719.tif 000018
2004523719.tif 000019
2004523719.tif 000020
2004523719.tif 000021
2004523719.tif 000022
2004523719.tif 000023
2004523719.tif 000024
2004523719.tif 000025
2004523719.tif 000026
2004523719.tif 000027
2004523719.tif 000028
2004523719.tif 000029
2004523719.tif 000030
2004523719.tif 000031
2004523719.tif 000032
2004523719.tif 000033
2004523719.tif 000034
2004523719.tif 000035
2004523719.tif 000036
2004523719.tif 000037
2004523719.tif 000038
2004523719.tif 000039
2004523719.tif 000040
2004523719.tif 000041
2004523719.tif 000042
2004523719.tif 000043
2004523719.tif 000044
2004523719.tif 000045
2004523719.tif 000046
2004523719.tif 000047
2004523719.tif 000048
2004523719.tif 000049
2004523719.tif 000050
2004523719.tif 000051
【国際調査報告】
2004523719.tif 000052